(57)【要約】【課題】高効率で、意匠性を向上する発光モジュールを提供する。【解決手段】発光モジュールは、平板状の発光パネル４と、透明材料からなり、発光パネル４の主面と対向する内底面２１１及び発光パネル４の側面と対向する内壁面２１２により発光パネル４を収容する収容部２１と、内壁面２１２を内側面として収容部の周囲に位置する枠部２２と、内底面２１１に平行であり内底面２１１より面積が大きな底面２０とを有するカバー２と、平面視において発光パネル４以内に位置し、中央部から周縁部に向かうほど高さが低くなるように形成され、収容部２１を塞ぐように配置される本体６とを備える。【選択図】図１
2015090778.tif 000002
【特許請求の範囲】
【請求項１】
平板状の発光パネルと、
透明材料からなり、前記発光パネルの主面と対向する内底面及び前記発光パネルの側面と対向する内壁面により前記発光パネルを収容する収容部と、前記内壁面を内側面として前記収容部の周囲に位置する枠部と、前記内底面に平行であり前記内底面より面積が大きな底面とを有するカバーと、
平面視において前記発光パネル以内に位置し、中央部から周縁部に向かうほど高さが低くなるように形成され、前記収容部を塞ぐように配置される本体と
を備えることを特徴とする発光モジュール。
【請求項２】
前記枠部は、前記内側面から外側面に向かうほど高さが低くなるように形成されることを特徴とする請求項１に記載の発光モジュール。
【請求項３】
前記収容部は、前記発光パネルが複数配置されることを特徴とする請求項１又は２に記載の発光モジュール。
【請求項４】
前記発光パネルと前記本体とを接着する接着材を更に備えることを特徴とする請求項１〜３のいずれか１項に記載の発光モジュール。
【請求項５】
前記発光パネルと前記内底面との間に配置される偏光板を更に備えることを特徴とする請求項１〜４のいずれか１項に記載の発光モジュール。
【請求項６】
請求項１〜５のいずれか１項に記載の前記発光モジュールと、
一端側において前記本体を支持する支柱と、
前記支柱の他端側を支持することにより前記発光モジュールを支持する支持部と、
前記支柱を介して前記発光パネルに電力を供給する電源ユニットと
を備えることを特徴とする照明装置。
【請求項７】
前記支持部は、前記発光モジュール側の表面が梨地処理されることを特徴とする請求項６に記載の照明装置。
【請求項８】
前記支柱は、前記発光パネルの法線方向を調整可能に、前記発光モジュールを支持することを特徴とする請求項６又は７に記載の照明装置。
【請求項９】
前記支柱は、長さが調整可能であることを特徴とする請求項６〜８のいずれか１項に記載の照明装置。
【請求項１０】
前記支持部は、複数の前記発光モジュールをそれぞれ支持する複数の前記支柱を支持し、
前記電源ユニットは、複数の前記発光モジュールそれぞれに電力を供給することを特徴とする請求項６〜９のいずれか１項に記載の照明装置。
【発明の詳細な説明】
【技術分野】
【０００１】
本発明は、高効率で、意匠性を向上する発光モジュール及び照明装置に関する。
【背景技術】
【０００２】
面発光する薄型の有機ＥＬパネルを使用した照明装置が知られている（特許文献１参照）。このような照明装置が備える発光モジュールは、一般的に、有機ＥＬパネルの背面及び側面側が光不透過性のケースに覆われて構成される。
【先行技術文献】
【特許文献】
【０００３】
【特許文献１】特開２０１３−１８２８７０号公報
【発明の概要】
【発明が解決しようとする課題】
【０００４】
しかしながら、特許文献１に記載の技術は、有機ＥＬパネルに比べて、発光モジュールの厚さが大きくなることから、用途によっては意匠性が悪く、配置の適応性が乏しい。一方、発光モジュールは平板状であるため、有機ＥＬパネルの薄さを活かすために発光モジュール全体の厚さを薄くすると、ジュール熱等により反りが生じやすい。
本発明は、上記問題点を鑑み、高効率で、意匠性を向上する発光モジュール及び照明装置を提供することを目的とする。
【課題を解決するための手段】
【０００５】
上記目的を達成するために、本発明の第１の態様は、平板状の発光パネルと、透明材料からなり、発光パネルの主面と対向する内底面及び発光パネルの側面と対向する内壁面により発光パネルを収容する収容部と、内壁面を内側面として収容部の周囲に位置する枠部と、内底面に平行であり内底面より面積が大きな底面とを有するカバーと、平面視において発光パネル以内に位置し、中央部から周縁部に向かうほど高さが低くなるように形成され、収容部を塞ぐように配置される本体とを備える発光モジュールであることを要旨とする。
【０００６】
本発明の第２の態様に係る発光モジュールは、第１の態様に係る発光モジュールにおいて、枠部が、内側面から外側面に向かうほど高さが低くなるように形成されることを特徴とする。
【０００７】
本発明の第３の態様に係る発光モジュールは、第１又は第２の態様に係る発光モジュールにおいて、収容部が、発光パネルが複数配置されることを特徴とする。
【０００８】
本発明の第４の態様に係る発光モジュールは、第１〜第３のいずれかの態様に係る発光モジュールにおいて、発光パネルと本体とを接着する接着材を更に備えることを特徴とする。
【０００９】
本発明の第５の態様に係る発光モジュールは、第１〜第４のいずれかの態様に係る発光モジュールにおいて、発光パネルと内底面との間に配置される偏光板を更に備えることを特徴とする。
【００１０】
本発明の第６の態様は、第１〜第５のいずれかの態様に係る発光モジュールと、一端側において本体を支持する支柱と、支柱の他端側を支持することにより発光モジュールを支持する支持部と、支柱を介して発光パネルに電力を供給する電源ユニットとを備える照明装置であることを要旨とする。
【００１１】
本発明の第７の態様に係る照明装置は、第６の態様に係る照明装置において、支持部が、発光モジュール側の表面が梨地処理されることを特徴とする。
【００１２】
本発明の第８の態様に係る照明装置は、第６又は第７の態様に係る照明装置において、支柱が、発光パネルの法線方向を調整可能に、発光モジュールを支持することを特徴とする。
【００１３】
本発明の第９の態様に係る照明装置は、第６〜第８のいずれかの態様に係る照明装置において、支柱が、長さが調整可能であることを特徴とする。
【００１４】
本発明の第１０の態様に係る照明装置は、第６〜第９のいずれかの態様に係る照明装置において、支持部が、複数の発光モジュールをそれぞれ支持する複数の支柱を支持し、電源ユニットが、複数の発光モジュールそれぞれに電力を供給することを特徴とする。
【発明の効果】
【００１５】
本発明によれば、高効率で、意匠性を向上する発光モジュール及び照明装置を提供することができる。
【図面の簡単な説明】
【００１６】
【図１】（ａ）は、本発明の第１実施形態に係る発光モジュールの基本的な構成を説明する平面図である。（ｂ）は、（ａ）の正面図である。（ｃ）は、（ａ）の底面図である。
【図２】本発明の第１実施形態に係る発光モジュールを説明する分解断面図である。
【図３】本発明の第１実施形態に係る発光モジュールを説明する拡大断面図である。
【図４】本発明の第２実施形態に係る照明システムを説明する図である。
【図５】（ａ）は、本発明の第２実施形態に係る照明システムが備える照明装置を説明する正面図である。（ｂ）は、（ａ）の底面図である。
【図６】（ａ）は、本発明の第２実施形態に係る照明システムが備える照明装置を説明する側面図である。（ｂ）は、（ａ）の底面図である。
【図７】本発明の第２実施形態に係る照明システムの配置を図示した一例である。
【図８】（ａ）は、本発明の第３実施形態に係る照明装置の基本的な構成を説明する正面図である。（ｂ）は、（ａ）の底面図である。
【図９】（ａ）は、本発明の第３実施形態に係る照明装置の基本的な構成を説明する側面図である。（ｂ）は、（ａ）の底面図である。
【図１０】本発明の他の実施形態に係る発光モジュールの配置を図示した一例である。
【図１１】（ａ）は、本発明の他の実施形態に係る発光モジュールの配置を図示した一例である。（ｂ）は、（ａ）を別角度から見た図である。
【図１２】（ａ）は、本発明の他の実施形態に係る発光モジュールの配置を図示した一例である。（ｂ）は、（ａ）を別角度から見た図である。
【図１３】本発明の他の実施形態に係る発光モジュールの配置を図示した一例である。
【発明を実施するための形態】
【００１７】
次に、図面を参照して、本発明の第１〜第３実施形態を説明する。以下の図面の記載において、同一又は類似の部分には同一又は類似の符号を付し、重複する説明を省略している。但し、図面は模式的なものであり、厚みと平面寸法との関係、各層の厚みの比率等は現実のものとは異なることに留意すべきである。また、以下に示す第１〜第３実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１８】
（第１実施形態）
本発明の第１実施形態に係る発光モジュール１は、図１（ａ）〜図（ｃ）に示すように、矩形平板状の発光パネル４と、発光パネル４をそれぞれ両面側から挟み込むように覆うカバー２及び本体６とを備える。発光モジュール１は、概略として、発光パネル４の形状に対応する矩形平板状である。発光モジュール１は、重心を通る垂線を回転軸とする２回回転対称性を有する。
【００１９】
発光パネル４は、図２に示すように、透明基板４１と、透明基板４１の上面に積層された発光部４２と、熱安定板４３と、一対の電極基板４４と、配線４５と、電源線４６とを備える。透明基板４１は、矩形平板状であり、例えば、ガラス、石英、樹脂材料等の透明材料からなる。透明基板４１は、発光パネル４の主面をなす下面４１１と、発光パネル４の側面をなす側面４１２とを有する。
【００２０】
発光部４２は、透明基板４１の平面パターンに対応するように、透明基板４１より小さな平面パターンを有する矩形平板状である。発光部４２は、両面側にそれぞれ形成された一対の電極膜を備える。発光部４２の一対の電極膜のうち、少なくとも透明基板４１側の電極膜は、光透過性及び電気伝導性を有する材料からなり、例えば、酸化インジウムスズ（ＩＴＯ）等の金属化合物を採用可能である。発光部４２は、一対の電極膜の間に形成された有機エレクトロルミネッセンス（ＥＬ）層を備える。
【００２１】
発光部４２の有機ＥＬ層は、例えば、正孔注入層、正孔輸送層、発光層、電子輸送層、電子注入層等の有機材料からなる複数の層を備える。発光部４２は、一対の電極膜をアノード及びカソードとして電圧が印加されることで、有機ＥＬ層の発光層において正孔と電子とが再結合することにより発光する。発光部４２において発せられた光は、透明基板４１の下面４１１及び側面４１２から出射される。発光部４２の平面パターンの寸法は、例えば、８０×８０ｍｍ程度である。
【００２２】
熱安定板４３は、例えば、発光部４２の上面の全面に積層される。熱安定板４３は、発光部４２より高い熱伝導率を有する材料からなる。熱安定板４３は、発光時における発光部４２の熱分布を均一化することにより、ジュール熱による発光部４２の光のばらつき及び劣化を低減することができる。
【００２３】
一対の電極基板４４は、例えば、熱安定板４３の上面のうち、互いに対向する２辺近傍にそれぞれ配置される。電極基板４４は、発光部４２の一対の電極膜にそれぞれ電気的に接続される。配線４５は、金属材料からなり、電極基板４４の端子と発光部４２の電極膜とをそれぞれ電気的に接続する。電源線４６は、一対の電極基板４４の端子にそれぞれ電気的に接続される。発光部４２は、電極基板４４及び配線４５を介して、電源線４６から電力が供給される。
【００２４】
カバー２は、概略として矩形平板状であり、発光パネル４に対応するように発光パネル４より大きな平面パターンを有する。カバー２は、例えば、ガラス、石英、樹脂材料等の透明材料からなる。カバー２を形成する樹脂材料は、例えば、アクリル、ポリエステル、ポリエチレン、ナイロン等を採用可能である。
【００２５】
カバー２は、厚さが他所より低く形成されることにより上面側を開口する凹部である収容部２１を有する。収容部２１は、発光パネル４の主面（下面４１１）と対向する内底面２１１と、内底面２１１に対して垂直であり、発光パネル４の側面（側面４１２）と対向する内壁面２１２とを有する。収容部２１は、内底面２１１と内壁面２１２とにより囲まれた内部に発光パネル４を収容する。発光パネル４と収容部２１の内底面２１１とは、例えば、同一の平面パターンを有する。
【００２６】
カバー２は、収容部２１の内壁面２１２を内側面として収容部２１の周囲に位置する枠部２２と、内底面２１１に平行であり内底面２１１より面積が大きな底面２０とを有する。底面２０は、収容部２１及び枠部２２の下方に位置する。枠部２２は、図３に示すように、上面２３が、内側面（内壁面２１２）から外側面２４に向かうほど高さが低くなるように形成された傾斜面をなすように形成される。即ち、カバー２は、外側面２４の高さｔ３が内壁面２１２の高さｔ４より低い。高さｔ３は、例えば１ｍｍ〜４ｍｍ程度である。底面２０の寸法は、例えば、１１０×１１０ｍｍ程度である。
【００２７】
発光パネル４と内底面２１１とは平面パターンが対応しているので、発光パネル４の側面と内壁面２１２とが近接する程、発光パネル４から出射された光は、不要な拡散を低減し、効率よくカバー２の外側面２４及び底面２０から外部に出射される。発光パネル４は、電極基板４４等が上部に形成されるので、発光パネル４から外側面２４までの間に光を阻害する部材がなく、効率よく外部に光を出射することができる。
【００２８】
本体６は、概略として矩形平板状である。本体６は、例えば、樹脂材料、金属等の不透明材料からなる。本体６は、上面６３の高さが中央部から周縁部に向かうほど低くなるように形成される。即ち、本体６は、図２に示すように、周縁部の高さｔ１が中央部の高さｔ２より低い。上面６３は、例えば、上方に向けて膨らむように緩やかに湾曲する。カバー２の底面２０から本体６の上面６３の中央部までの高さは、例えば８〜１０ｍｍ程度である。
【００２９】
本体６は、平面視において発光パネル４と重畳する領域以内に位置する。図１〜図３に示す例において、本体６と発光パネル４とは、同一の平面パターンを有する。本体６は、中央部に、上面６３から下面６１に貫通し、発光パネル４の電源線４６が内部に挿入される貫通孔６０を有する。
【００３０】
発光モジュール１は、偏光板３と、接着材５と、支柱７とを更に備える。偏光板３は、例えば、発光パネル４の主面（下面４１１）と同一の平面パターンを有する矩形平板である。偏光板３は、発光パネル４の主面と収容部２１の内底面２１１との間に、発光パネル４と平行に配置される。偏光板３は、発光パネル４から出射された光を偏光させ、カバー２の底面２０から出射する他、外部からの光の反射を低減する。発光パネル４の主面と収容部２１の内底面２１１との間には、偏光の他、集光、散光等の機能を有する光学パネルを備えるようにしてもよい。
【００３１】
接着材５は、発光パネル４の上面と本体６の下面とを接着する。接着材５は、例えば、発光パネル４の一対の電極基板４４の間に位置し、本体６の貫通孔６０を除く領域に矩形状に形成される。発光パネル４は、接着材５により本体６と接着されることにより、落下等による破損が低減される他、破損した場合であっても、破片の飛散を低減できる。
【００３２】
支柱７は、貫通孔７０を有する円筒状である。支柱７は、一端側において、本体６の上面６３の中央部と連結されることにより、発光モジュール１の重心において本体６を支持する。支柱７の貫通孔７０は、本体６の貫通孔６０と連結し、発光パネル４の電源線４６が内部に挿入される。
【００３３】
本体６は、偏光板３及び発光パネル４が収容部２１の内部に収容された状態で、収容部２１の上端を塞ぐように配置される。本体６は、上面６３と枠部２２の上面２３とが連続するようにカバー２に設置される。
【００３４】
発光モジュール１は、それぞれ、本体６の上面６３より低い位置となるように、例えば本体６の周縁部のうち対向する２辺近傍に固定された、複数のフック部６５を備える。フック部６５は、それぞれ、本体６から外側方向に水平に突出する。カバー２は、内壁面２１２に、それぞれ、複数のフック部６５に対応する位置に形成された凹部である複数のフック受け部２５を有する。互いに対応するフック部６５及びフック受け部２５は、本体６とカバー２とを固定する固定部（２５，６５）として機能する。
【００３５】
第１実施形態に係る発光モジュール１によれば、底面２０が平坦であり、本体６の周縁部の高さｔ１が中央部の高さｔ２より低く形成されるので、実際の厚さより薄く見え、意匠性を向上できると共に、熱等による反りを低減できる。また、カバー２は、発光パネル４から出射される光を底面２０及び外側面２４から出射するように形成されているので、高効率に光を出射することができる。また、カバー２は、端部が光って見えるので、更に意匠性を向上できる。
【００３６】
また、第１実施形態に係る発光モジュール１によれば、カバー２の外側面２４の高さｔ３が内壁面２１２の高さｔ４より低くなるように形成されるので、意匠性を更に向上できる。
【００３７】
また、第１実施形態に係る発光モジュール１によれば、薄さが特徴である有機ＥＬパネルを発光パネル４として採用することにより、熱等に対する耐性を確保しつつ、意匠性において発光パネル４の薄さを最大限に活かすことができる。
【００３８】
（第２実施形態）
本発明の第２実施形態に係る照明システムとして、第１実施形態に係る発光モジュール１を使用した照明システムについて説明する。第２実施形態に係る照明システムは、図４に示すように、それぞれ複数の照明装置８ａ，８ｂを備える。照明装置８ａ，８ｂは、室内における天井面Ｃに設置される。室内における床面Ｆには、長手方向が壁面Ｗと平行な上面９１を有し、壁面Ｗとの間に職員Ｓを囲むカウンター９が設置される。
【００３９】
照明装置８ａは、図５（ａ）及び図５（ｂ）に示すように、複数の発光モジュール１ａ〜１ｄと、発光モジュール１ａ〜１ｄをそれぞれ支持する支柱７ａ〜７ｄと、支柱７ａ〜７ｄをそれぞれ支持する支持部８１と、電源ユニット８５とを備える。支持部８１は、概略として矩形平板状であり、天井面Ｃと平行かつ壁面Ｗと垂直に設置される。支持部８１は、例えば金属材料からなる。支持部８１の平面パターンの寸法は、例えば、６００×１３０ｍｍ程度である。
【００４０】
支柱７ａ〜７ｄは、それぞれ一端側において、発光モジュール１ａ〜１ｄの各本体６ａ〜６ｄを支持する。支柱７ａ〜７ｄは、順に、支持部８１の長手方向に等間隔に、支持部８１に対して垂直に配列される。支柱７ａ〜７ｄの配列ピッチは、例えば１５０ｍｍ程度である。支持部８１は、下面８１０において支柱７ａ〜７ｄのそれぞれ他端側を支持することにより、発光モジュール１ａ〜１ｄそれぞれを支持する。発光モジュール１ａ〜１ｄ側の表面となる下面８１０及び支柱７ａ〜７ｄの側面は、発光モジュール１ａ〜１ｄの各外側面２４及び上面２３から出射される光による映り込みを低減させるため、梨地処理されている。
【００４１】
支持部８１は、長手方向における一端側に、屈曲された金属板からなるハンガー部８３を備える。支持部８１は、長手方向における他端側に、支持部８１の上面から下面８１０に貫通する貫通孔８４を有する。支持部８１は、ハンガー部８３が掛かるハンガー受け部と、下方から貫通孔８４に挿入されたねじに対応するねじ穴とを備えるガイド（図示省略）によって、天井面Ｃに設置される。
【００４２】
電源ユニット８５は、支持部８１の上面に設置される。支持部８１は、上面に形成された電源端子台８６を備える。電源端子台８６は、例えば、商用電源及び電源ユニット８５にそれぞれ接続され、商用電源から供給された電力を電源ユニット８５に供給する。電源ユニット８５は、電源端子台８６を介して供給された商用電源から、発光モジュール１ａ〜１ｄの定格に応じた電圧に変換する。このように、電源ユニット８５は、支柱７ａ〜７ｄの各貫通孔７０を介して、発光モジュール１ａ〜１ｄの各発光パネル４に電力を供給する。
【００４３】
発光モジュール１ａ〜１ｄは、支柱７ａ〜７ｄに対して、それぞれ傾斜角θａ〜θｄを有するように、支柱７ａ〜７ｄにそれぞれ支持される。傾斜角θａ，θｂ，θｃ，θｄは、例えば、それぞれ０°，０°，３°，５°程度である。また、支柱７ａ，７ｂ，７ｃ，７ｄの長さは、例えば、それぞれ３０ｍｍ，３０ｍｍ，３７ｍｍ，５０ｍｍ程度である。  
【００４４】
照明装置８ｂは、図６に示すように、複数の発光モジュール１ｅ〜１ｈと、発光モジュール１ｅ〜１ｈをそれぞれ支持する支柱７ｅ〜７ｈと、支柱７ｅ〜７ｈをそれぞれ支持する支持部８１と、電源ユニット８５とを備える。照明装置８ｂについて説明しない他の構成は、照明装置８ａと実質的に同様であるので重複する説明を省略する。
【００４５】
照明装置８ｂは、照明装置８ａと長手方向を共有し、支柱７ｅ側が支柱７ｄ側となり、支柱７ａ〜７ｄ及び支柱７ｅ〜７ｈがそれぞれ等間隔になるように設置される。支柱７ａ〜７ｄ及び支柱７ｅ〜７ｈの配列ピッチは、例えば１５０ｍｍ程度である。
【００４６】
発光モジュール１ｅ〜１ｈは、支柱７ｅ〜７ｈに対して、それぞれ傾斜角θｅ〜θｈを有するように、支柱７ｅ〜７ｈにそれぞれ支持される。傾斜角θｅ，θｆ，θｇ，θｈは、例えば、それぞれ１０°，１５°，２２°，３２°程度である。また、支柱７ｅ，７ｆ，７ｇ，７ｇの長さは、例えば、それぞれ７０ｍｍ，１００ｍｍ，１５０ｍｍ，２２０ｍｍ程度である。
【００４７】
照明装置８ａ，８ｂは、図７に示すように、短手方向にそれぞれ複数配列される。発光モジュール１ａ〜１ｈは、カウンター９の上面９１を照射対象として照射するように配置されている。即ち、発光モジュール１ａ〜１ｈは、各発光パネル４の法線方向（照射方向）が上面９１側を向くように配置される。発光モジュール１ａ〜１ｈは、壁面Ｗと反対側の上面９１の端部との距離がそれぞれ略同一となる湾曲面を形成するようにそれぞれ配置される。
【００４８】
照明装置８ａ，８ｂのみによって室内を照射する場合において、図７に示すように、特に壁面Ｗの上部の照度が不十分となり、暗い印象を与える要因となってしまう。この為、第２実施形態に係る照明システムは、壁面Ｗ側の天井面Ｃに設置された複数の照明装置８ｃを更に備える（図４参照）。
【００４９】
照明装置８ｃは、例えば、天井面Ｃに平行に設置された発光モジュール１ｉと、商用電源を変換することにより、発光モジュール１ｉに電力を供給する電源ユニット（図示省略）等を備える。照明装置８ｃは、照明装置８ａ，８ｂの長手方向において、発光モジュール１ａ〜１ｈ及び発光モジュール１ｉが配列されるようにそれぞれ設置される。照明装置８ｃは、発光モジュール１ｉが壁面Ｗの上部を照射することにより、見る人に明るい印象を与えることができる。
【００５０】
（第３実施形態）
本発明の第３実施形態に係る照明装置８Ａは、図８（ａ）、図（ｂ）及び図９に示すように、発光モジュール１Ａが複数の発光パネル４を備える点等で第１及び第２実施形態と異なる。第３実施形態において説明しない他の構成、作用及び効果は、第１及び第２実施形態と実質的に同様であるので、重複する説明を省略する。
【００５１】
照明装置８Ａは、発光モジュール１Ａと、一端側において発光モジュール１Ａを支持する支柱７Ａと、支柱７Ａの他端側を支持することにより発光モジュール１Ａを支持する支持部８１Ａとを備える。支持部８１Ａは、商用電源変換することにより発光モジュール１Ａに電力を供給する電源ユニットを内部に備える。
【００５２】
発光モジュール１Ａは、面方向に配列されたそれぞれ矩形平板状の複数の発光パネル４と、複数の発光パネル４をそれぞれ両面側から挟み込むように覆うカバー２Ａ及び本体６Ａとを備える。発光モジュール１Ａは、図８（ｂ）に示すように、概略として、配列された複数の発光パネル４の形状に対応する矩形平板状である。発光パネル４は、互いに接するように発光モジュール１Ａの長手方向に配列される。発光モジュール１Ａは、重心を通る垂線を回転軸とする２回回転対称性を有する。発光パネル４の各発光部４２は、支柱７Ａを介して支持部８１Ａの電源ユニットから電力を供給されることによりそれぞれ発光する。
【００５３】
カバー２Ａは、概略として矩形平板状であり、配列された複数の発光パネル４に対応するように配列された複数の発光パネル４より大きな平面パターンを有する。カバー２Ａの収容部２１は、配列された複数の発光パネル４の主面と対向する内底面２１１と、内底面２１１に対して垂直であり、配列された複数の発光パネル４の側面と対向する内壁面２１２とを有する。
【００５４】
収容部２１は、内底面２１１と内壁面２１２とにより囲まれた内部に配列された複数の発光パネル４を収容する。配列された複数の発光パネル４と収容部２１の内底面２１１とは、例えば、同一の平面パターンを有する。カバー２Ａの枠部２２は、上面２３が、内側面（内壁面２１２）から外側面２４に向かうほど高さが低くなるように形成された傾斜面をなすように形成される。
【００５５】
配列された複数の発光パネル４と内底面２１１とは平面パターンが対応しているので、配列された複数の発光パネル４の側面と内壁面２１２とが近接する程、各発光パネル４から出射された光は、効率よくカバー２Ａの外側面２４及び底面２０から出射される。
【００５６】
本体６Ａは、概略として矩形平板状である。本体６Ａは、上面６３の高さが中央部から周縁部に向かうほど低くなるように形成される。即ち、本体６Ａは、図８（ａ）に示すように、周縁部の高さｔ５が中央部の高さｔ６より低い。上面６３は、例えば、上方に向けて膨らむように緩やかに湾曲する。カバー２Ａの底面２０から本体６Ａの上面６３の中央部までの高さは、例えば１０〜２０ｍｍ程度である。
【００５７】
本体６Ａは、平面視において、配列された複数の発光パネル４と重畳する領域以内に位置する。図８及び図９に示す例において、本体６Ａと配列された複数の発光パネル４とは、同一の平面パターンを有する。本体６Ａは、中央部に、上面６３から下面６１に貫通する貫通孔を有する。
【００５８】
なお、図示を省略しているが、第１実施形態と同様に、発光モジュール１Ａは、配列された複数の発光パネル４の主面と同一の平面パターンを有する矩形平板の偏光板や、発光パネル４の上面と本体６Ａの下面とを接着する接着材等を備えるようにしてもよい。
【００５９】
支柱７Ａは、本体６Ａとの連結部分にボールベアリング７１を備える。支柱７Ａは、ボールベアリング７１において、本体６Ａの上面６３の中央部と連結されることにより、発光モジュール１Ａの照射方向を調整可能に、発光モジュール１Ａの重心において本体６Ａを支持する。発光モジュール１Ａは、ボールベアリング７１において支柱７Ａに支持されることにより、水平方向から角度θ、垂直方向を回転軸として３６０°の範囲で姿勢を調整されることができる。角度θは、例えば３０°程度である。支柱７Ａは、ボールベアリング７１を含めて本体６Ａの貫通孔と連結する貫通孔を有し、発光モジュール１Ａの各発光パネル４に電力を供給する電源線４６が内部に挿入される。
【００６０】
第３実施形態に係る発光モジュール１Ａによれば、用途に応じて複数の発光パネル４を備え、光を出射する面積を増大させることができるので、汎用性が高い。
【００６１】
また、第３実施形態に係る発光モジュール１Ａによれば、カバー２Ａの底面２０が平坦であり、本体６Ａの周縁部の高さが中央部より低く形成されるので、実際の厚さより薄く見え、意匠性を向上できると共に、熱等による反りを低減できる。また、カバー２Ａは、各発光パネル４から出射される光を底面２０及び外側面２４から出射するように形成されているので、高効率に光を出射することができる。また、カバー２Ａは、端部が光って見えるので、更に意匠性を向上できる。
【００６２】
また、第３実施形態に係る発光モジュール１Ａによれば、薄さが特徴である有機ＥＬパネルを発光パネル４として採用することにより、熱等に対する耐性を確保しつつ、意匠性において発光パネル４の薄さを最大限に活かすことができる。
【００６３】
（その他の実施形態）
上記のように、本発明を第１〜第３実施形態によって記載したが、この開示の一部をなす論述及び図面は本発明を限定するものであると理解すべきではない。この開示から当業者には様々な代替実施形態、実施例及び運用技術が明らかとなろう。
【００６４】
例えば、既に述べた第２実施形態において、支持部８１の下面８１０における梨地処理は、発光モジュール１の外側面２４から光が映り込む領域のみに施されるようにしてもよい。例えば、梨地処理が施される領域は、発光モジュール１の平面寸法を１とした場合、１．０以上１．４以下とすることができる。
【００６５】
また、既に述べた第２実施形態において、照明システムは、照明装置８ｃを備える代わりに、発光モジュール１ａ〜１ｈのうち、壁面Ｗ側に位置する発光モジュール１ｈが、壁面Ｗの上部を照射するように角度を調整されて配置されるようにしてもよい。
【００６６】
また、既に述べた第１〜第３実施形態において、発光モジュール１を支持する支柱７は、長さ及び発光モジュール１の照射方向を調整可能であってもよい。これにより、例えば図１０に示すように、複数の発光モジュール１が単一の面状に配列された後であっても、各発光モジュール１の高さ及び角度を調整可能であり、様々な空間を表現することができる。例えば、図１１（ａ）及び図１１（ｂ）に示すように、各発光モジュール１は、室内の角部に近づくほど高さ及び角度が変化するように配置されることにより、見る位置によって異なる印象を与えることができる。その他、発光モジュール１は、図１２（ａ）及び図１２（ｂ）に示すように一方向において高さが順に変化したり、図１３に示すように室内の周縁部から中央部に向かうほど高さ及び角度が変化したりするようにしてもよい。
【００６７】
図１２及び図１３に示す例においては、支柱７は、発光モジュール１が人に触れないように長さが調節される。支柱７は、例えば壁面側のカウンター内等、人々の往来が少ない場所において、他所より長さが長くなるようにしてもよい。また、図１０〜図１３に示す例においては、支柱７が天井面Ｃに直接支持され、天井面Ｃが鏡面とされることにより、発光モジュール１の背面側が天井面にはっきりと映り込むようにしてもよい。
【００６８】
上述の他、第１〜第３実施形態を相互に応用した構成等、本発明はここでは記載していない様々な実施形態等を含むことは勿論である。したがって、本発明の技術的範囲は上記の説明から妥当な特許請求の範囲に係る発明特定事項によってのみ定められるものである。  
【符号の説明】
【００６９】
１，１ａ〜１ｉ，１Ａ  発光モジュール
２，２Ａ  カバー
３  偏光板
４  発光パネル
４１１  下面（主面）
４１２  側面
５  接着材
６，６Ａ  本体
７，７ａ〜７ｈ，７Ａ  支柱
８ａ〜８ｃ，８Ａ  照明装置
２０  底面
２１  収容部
２２  枠部
２４  外側面
８１，８１Ａ  支持部
８５  電源ユニット
２１１  内底面
２１２  内壁面
８１０  下面（表面）
【図１】
2015090778.tif 000003
【図２】
2015090778.tif 000004
【図３】
2015090778.tif 000005
【図４】
2015090778.tif 000006
【図５】
2015090778.tif 000007
【図６】
2015090778.tif 000008
【図７】
2015090778.tif 000009
【図８】
2015090778.tif 000010
【図９】
2015090778.tif 000011
【図１０】
2015090778.tif 000012
【図１１】
2015090778.tif 000013
【図１２】
2015090778.tif 000014
【図１３】
2015090778.tif 000015